(57)【要約】【課題】充分な耐火性を有するとともに、人体に優しい竹炭ボードを提供すること。また、水分の吸収、放出による膨張、縮小による表面仕上げ材への悪影響を防止することができる竹炭ボードの取付施工方法を提供すること。【解決手段】竹炭を圧縮して形成されるボード本体４を備え、このボード本体４の片面に、貝殻の粉末を塗布した竹炭ボード。貝殻の粉末を塗布した貝殻層が耐火層として機能し、建材用ボードとして用いた場合においても充分な耐火性を得ることができる。また、このような竹炭ボードのボード本体４の片面に、複数個の溝を設けるとともに、ボード本体の各角部を固定することによって、竹炭ボードをコンクリート壁などに取付固定する。【選択図】　　　図６
2004034306.tif 000002
【特許請求の範囲】
【請求項１】
竹炭を圧縮して形成されるボード本体を備え、このボード本体の片面に、貝殻の粉末を塗布したことを特徴とする竹炭ボード。
【請求項２】
前記貝殻はホタテ貝の貝殻であり、ホタテ貝の貝殻を粉末にして焼いた後に、結合剤と混合して前記ボード本体の片面に塗布することを特徴とする請求項１記載の竹炭ボード。
【請求項３】
竹炭を圧縮して形成されるボード本体を備え、このボード本体を竹炭と竹のりとを混合して圧縮形成することを特徴とする竹炭ボード。
【請求項４】
前記ボード本体の片面に、ホタテ貝の貝殻の粉末と結合剤との混合物を塗布することを特徴とする請求項３記載の竹炭ボード。
【請求項５】
複数枚の竹炭ボードを連続的に並べて施工する施工方法において、各竹炭ボードのボード本体の片面に、所定方向に間隔をおいて複数個の溝を設けるとともに、各竹炭ボードのボード本体の各角部を固定することを特徴とする竹炭ボードの取付施工方法。
【請求項６】
各竹炭ボードのボード本体の片面に、前記所定方向に間隔をおいて複数個の第１の溝が設けられ、前記所定方向に垂直な方向に間隔をおいて複数個の第２の溝が設けられていることを特徴とする請求項５記載の竹炭ボードの取付施工方法。
【請求項７】
相互に隣接する一対の竹炭ボードの隣接端部には、これら隣接端部を跨ぐように金網又は防水テープが設けられ、前記金網又は防水テープを含む竹炭ボードの表面を覆うように表面仕上げ材が設けられることを特徴とする請求項５又は６記載の竹炭ボードの取付施工方法。
【発明の詳細な説明】
【０００１】
【発明の属する技術分野】
本発明は、竹炭を用いた竹炭ボード及びこれを用いた取付施工方法に関する。
【０００２】
【従来の技術】
近年、環境面から、竹炭を利用した竹炭ボードが提案されている。この竹炭ボードは、竹炭の小片、粉末を結合剤（例えばニカワ）と混合し、圧縮して形成される。竹炭は吸湿性、放湿性を有しており、従って、周囲の湿度が高くなると水分を吸湿する一方、周囲の湿度が低くなると吸湿した水分を放湿する。また、竹炭は、シックハウス症候群の原因とされる特定有害物質、例えばホルムアルデヒド等を吸着する性質をも有している。
【０００３】
【発明が解決しようとする課題】
このような特性を有することから、竹炭ボードは建材用ボードに適しているが、次のような問題が存在するために、建材用ボードとして未だ実用化されていない。第１に、水分を吸収すると幾分体積が膨張し、また水分を放湿すると幾分体積が縮小し、特に体積の膨張時に竹炭ボードの角部が湾曲したり、また体積の縮小時に隣接する竹炭ボード間に隙間が生じるようになる。このように湾曲したり隙間が生じると、竹炭ボード表面に表面仕上げ材、例えば内壁用聚楽、内装用クロスを設ける場合、内壁用聚楽にヒビが入ったり、内装用クロスが破れたりし、表面仕上げ材の一部が破損する問題がある。第２に、このような建材用ボードとして用いる場合、安全性の面から、充分な耐火性を有するのが望ましく、このような特性を有する竹炭ボードの実現が望まれている。第３に、竹炭自体は、上述したように、ホルムアルデヒド等の特定有害物質を吸着する特性を有しているが、竹炭を結合するための結合剤としてこのような特定有害物質を含むものを用いたのではシックハウス症候群に対して充分な処置を施したと言い難く、特定有害物質を含まない竹炭ボードの実現が望まれている。
【０００４】
本発明の目的は、充分な耐火性を有するとともに、人体に優しい竹炭ボードを提供することである。
本発明の他の目的は、特定有害物質を含まず、シックハウス症候群に対する対策に用いることができる竹炭ボードを提供することである。
【０００５】
本発明の更に他の目的は、竹炭ボードを建材用ボードとして用いた場合において、水分の吸収、放出による膨張、縮小による表面仕上げ材への悪影響を防止することができる竹炭ボードの取付施工方法を提供することである。
【０００６】
【課題を解決するための手段】
本発明は、竹炭を圧縮して形成されるボード本体を備え、このボード本体の片面に、貝殻の粉末を塗布したことを特徴とする竹炭ボードである。
【０００７】
本発明に従えば、竹炭ボード本体の片面に、貝殻の粉末を塗布したので、この貝殻層が耐火層として機能し、建材用ボードとして用いた場合においても充分な耐火性を得ることができる。また、貝殻自体がアルカリ性を呈し、人体に優しいボードとして提供することができる。
【０００８】
また、本発明では、前記貝殻はホタテ貝の貝殻であり、ホタテ貝の貝殻を粉末にして焼いた後に、結合剤と混合して前記ボード本体の片面に塗布することを特徴とする。
【０００９】
本発明に従えば、焼き貝殻としてホタテ貝の焼き貝殻を用いるので、充分な耐火性を得ることができる。また、焼きホタテの貝殻は、ホルムアルデヒド等の特定有害物質を吸着するので、シックハウス症候群に対しても有効であるとともに、抗菌、滅菌作用も有し、人体に悪影響を及ぼすこともない。
【００１０】
また、本発明は、竹炭を圧縮して形成されるボード本体を備え、このボード本体を竹炭と竹のりとを混合して圧縮形成することを特徴とする竹炭ボードである。
【００１１】
本発明に従えば、竹のりを用いて竹炭を固めるので、シックハウス症候群の原因となるホルムアルデヒド等の特定有害物質を放出することがなく、人体に優しい竹炭ボードを提供することができる。
【００１２】
また、本発明では、前記ボード本体の片面に、ホタテ貝の貝殻の粉末と結合剤との混合物を塗布することを特徴とする。
本発明に従えば、ボード本体の片面に焼きホタテ貝を塗布するので、充分な耐火性を有するとともに、特定有害物質を吸着し、人体に優しいボードとして提供することができる。
【００１３】
また、本発明は、複数枚の竹炭ボードを連続的に並べて施工する施工方法において、各竹炭ボードのボード本体の片面に、所定方向に間隔をおいて複数個の溝を設けるとともに、各竹炭ボードのボード本体の各角部を固定することを特徴とする竹炭ボードの取付施工方法である。
【００１４】
本発明に従えば、竹炭から形成されたボード本体の片面に複数個の溝が設けられているので、水分の吸収、放出によりボード本体が膨張、縮小しても、かかる膨張、縮小がこれら溝によって吸収される。そして、このような溝を設けたボード本体の各角部を固定することによって、ボード本体を確実に固定することができるとともに、水分の吸収、放出による膨張、縮小はこれら溝により吸収される。従って、膨張、縮小によるボード本体の湾曲、破損を防止することができるとともに、ボード本体間の隙間の発生も防止することができる。
【００１５】
また、本発明では、各竹炭ボードのボード本体の片面に、前記所定方向に間隔をおいて複数個の第１の溝が設けられ、前記所定方向に垂直な方向に間隔をおいて複数個の第２の溝が設けられていることを特徴とする。
【００１６】
本発明に従えば、竹炭ボードのボード本体に所定方向に第１の溝が、またこの所定方向に対して垂直な方向に第２の溝が設けられているので、水分の吸収、放出によるボード本体の膨張、縮小を、第１及び第２の溝により効果的に吸収することができる。
【００１７】
更に、本発明では、相互に隣接する一対の竹炭ボードの隣接端部には、これら隣接端部を跨ぐように金網又は防水テープが設けられ、前記金網又は防水テープを含む竹炭ボードの表面を覆うように表面仕上げ材が設けられることを特徴とする。
【００１８】
本発明に従えば、隣接する一対の竹炭ボードの隣接端部には、これら隣接端部を跨ぐように金網が設けられ、この金網を含む竹炭ボードの表面を覆うように表面仕上げ材が設けられるので、竹炭ボードの表面全域に表面仕上げ材を所要の通りに設けることができる。また、一対の竹炭ボードの隣接端部においては、この表面仕上げ材が金網の表面に設けられるので、一対の竹炭ボード間において表面仕上げ材に亀裂等が発生することもなく、連続する竹炭ボード表面をきれいな状態に保つことができる。防水テープを用いても同様に連続する竹炭ボード表面の表面仕上げ材をきれいな状態に保つことができる。尚、表面仕上げ材とは、内壁用聚楽、内装用クロス等である。
【００１９】
【発明の実施の形態】
以下、添付図面を参照して、本発明に従う竹炭ボード及びこれの取付施工方向の実施形態について説明する。
竹炭ボード
図１及び図２を参照して、竹炭ボードの一実施形態について説明する。図１は、一実施形態の竹炭ボードを示す斜視図であり、図２は、図１の竹炭ボードの施工例の一例を示す部分断面図である。
【００２０】
図１及び図２において、図示の竹炭ボード２は、矩形状のボード本体４を備えており、このボード本体４の片面に塗布層６が設けられている。ボード本体４は竹炭から形成され、竹炭片（例えば２〜１０ｍｍ程度のチップ片）、竹炭粉末（例えば２ｍｍ以下の粉末）を結合剤（例えばニカワ、古紙）とともに混合し、竹炭混合物を圧縮して形成される。このようなボード本体４は長方形、正方形、円形、三角形等の適宜の形状に形成することができ、建材用ボードとして用いるときには、例えば縦９０ｃｍ×横１８０ｃｍ×厚さ２ｃｍ程度の大きさに形成される。
【００２１】
塗布層６は貝殻の粉末から形成され、この貝粉末と結合剤とを混合し、貝混合物をローラ、刷毛等を用いて塗布することによって形成される。貝としてはホタテ貝が好都合に用いられ、このホタテ貝を焼いたものが望ましい。ホタテ貝を粉末にして焼いた後に結合剤と混合することによって、貝混合物が形成され、この貝混合物が塗布される。貝粉末はボード本体４の表面に均一に塗布する場合には小さいほど好ましい。また、貝粉末を表面化粧として用いる場合には、ある程度大きい方が望ましい。このようなホタテ貝粉末の塗布層６は、充分な耐火性を有する故に、ボード本体４に充分な耐火性を持たせることができる。また、ホタテ貝粉末はアルカリ性を呈するとともに、ホルムアルデヒド等の環境有害物質を吸着する特性を有する故に、シックハウス症候群に対する対策としても有効であり、人体にやさしいボードを提供することができる。更に、焼きホタテ貝粉末は、抗菌、除菌作用も有する故に、安全衛生面でも有効である。貝粉末の結合剤としては、無害の合成のり等が用いられる。
【００２２】
ボード本体４の結合剤として、竹のりを用いるのが好ましい。竹のりは、例えば、次のようにしてつくることができる。新しい竹を適当な大きさに切断し、切断した竹片を鍋に入れて所定時間煮る。その後、この鍋の中に苛性ソーダをいれて更に煮て竹肉と竹繊維とに分離し、鍋から竹繊維を取り出すことによって形成することができる。このような竹のりは、自然の材料である新しい竹を原料としているので、環境有害物質等が放出されることはなく、環境にやさしい結合剤であり、また竹炭との相性もよく、竹炭の結合剤として好適に用いることができる。尚、ニカワ、古紙に竹のりを混合した結合剤を用いるようにしてもよく、このような混合結合剤を用いることによりニカワ等の使用量を少なくし、人体にやさしいボード本体とすることができる。
【００２３】
このような竹炭ボード２は、ボード本体４が竹炭から形成されるので、周囲の湿度が高いときには水分を吸収する一方、周囲の湿度が低いときには吸収した水分を放出し、周囲の湿度調整機能を有している。加えて、竹炭自体がホルムアルデヒド等の環境有害物質を吸収する特性を有するので、周囲に存在する環境有害物質を吸着する。この竹炭ボード２は、上述した特徴を有するので、建材用ボードとして好都合に用いることができ、特にシックハウス症候群に対する対策用建材として最適である。
【００２４】
この竹炭ボード２は、例えば、図２に示すように取付施工することができる。図２において、マンション等の集合住宅のコンクリート壁１０の部屋側表面に、塗布層６が表側となるように竹炭ボード２が取り付けられ、この竹炭ボード２の表面（塗布層６が設けられている面）に表面仕上げ材８が取り付けられる。この表面仕上げ材８とは、例えば部屋が和室である場合には内壁用聚楽等であり、また例えば部屋が洋室である場合には内装用クロス等である。このように表面仕上げ材８を設けた場合、部屋内の水分は表面仕上げ材８を通して竹炭ボード２に吸収され、また吸収した水分は表面仕上げ材８を通して部屋内に放出される。
【００２５】
竹炭ボード２を建材用ボードとして用いる場合、竹炭ボード２を図３〜図５に示すように構成するのが望ましい。図３において、この竹炭ボード２では、ボード本体４の片面、例えば裏面側（塗布層６が設けられている面とは反対側の面）に所定方向（例えば縦方向）に間隔をおいて複数個（この形態では４個）の第１の溝１２が形成され、また所定方向に対して垂直な方向（例えば横方向）に間隔をおいて複数個（この形態では８個）の第２の溝１４が設けられ、第１及び第２の溝１２，１４は、例えば１０〜２０ｃｍ間隔毎に設けられる。第１及び第２の溝１２，１４の断面形状は、図４に示すような矩形状、又は図５に示すような三角形状等の適宜の形状に形成することができる。例えば、矩形状、三角状に形成する場合、その幅Ｗは１〜５ｍｍ程度に、その深さＨは、ボード本体４の厚さの半分程度、例えば３〜１０ｍｍ程度に形成され、このような第１及び第２の溝１２，１４を形成することによって、ボード本体４が水分を吸収、放出した際におけるボード本体４の膨張、縮小を所要の通りに吸収することができる。このような第１及び第２の溝１２，１４は、ボード本体４の片面に塗布層６を形成する前に、或いは塗布層６を形成した後に形成される。
【００２６】
この実施形態では、ボード本体の横方向に延びる第１の溝１２を、またその縦方向に延びる第２の溝１４を設けているが、横方向及び縦方向の双方に設ける必要はなく、例えば横方向に延びる第１の溝１２のみを設けるようにしてもよく、或いは縦方向に延びる第２の溝１４のみを設けるようにしてもよい。また、これらの構成に代えて、第１の溝１２及び／又は第２の溝１４をボード本体４の斜め方向に設けるようにしてもよい。尚、容易に理解される如く、第１の溝１２及び／又は第２の溝１４の個数が多くなるほど、膨張、縮小に対するボード本体の変形をより吸収することができる。
【００２７】
竹炭ボードの取付施工方法
このような竹炭ボード２は、例えば、図６に示すように取付施工される。４枚の竹炭ボードを用いた施工例を示す図６において、竹炭ボード２は、第１及び第２の溝１２，１４が形成された面が裏側（例えば、部屋を規定する内壁側とは反対側）となるように配設され、各竹炭ボード２の４角部が釘１６（コンクリートに固定する場合にはコンクリート用釘、柱に固定する場合には木造用釘）、埋込みボルト及び固定用ナット等を用いて固定される。各竹炭ボード２の各角部を固定することによって、竹炭ボード２自体の膨張、縮小を強制的に抑えることができ、これによって、隣接する竹炭ボード２間に隙間が発生することを防止することができ、そして、このように強制的に膨張、縮小を抑えることによる応力集中を第１及び第２の溝１２，１４の部位における弾性変形でもって吸収するものである。
【００２８】
この施工例では、竹炭ボード２のボード本体４の各角部に加えて、ボード本体４の各端部及び各側端部にも釘１６、埋込みボルト及び固定用ナット等を用いて固定されており、このように固定することによって、各竹炭ボード２を確実に固定することができる。
【００２９】
この施工例では、更に、相互に隣接する一対の竹炭ボード２の隣接する端部に金網１８が設けられ、図示のように縦方向及び横方向に連続して合計４個の竹炭ボード２を設ける場合、この金網１８は十字状に設けられる。金網１８は例えばステンレス製のものから形成され、釘１６、埋込みボルト及び固定用ナット等を用いて竹炭ボード２を固定する際に一緒に固定される。この金網１８は、隣接する竹炭ボード２の隣接端部に跨って設けられ、隣接する竹炭ボード２の境界線部を覆う。
【００３０】
このように固定された竹炭ボード２の表面（金網１８により覆われた部位を含む表面）には、これを被うように表面仕上げ材（図６においては図示していないが、これについては図２を参照されたい）が設けられる。表面仕上げ部材は、例えば内壁用聚楽、内装用クロス等であり、和室、洋室等の部屋の様式に応じて適宜選択される。このように隣接する竹炭ボード２の隣接端部に金網１８を設けることによて、かかる部位においては、表面仕上げ材はこの金網１８に取り付けられ、水分の吸収、放出によって竹炭ボード２に応力が作用しても表面仕上げ材にこの応力が作用することはなく、従って、表面仕上げ材を長期にわたってきれいな状態に保つことがでる。かくして、このような施工方法で取り付けることによって、竹炭ボード２を建材用ボードとして用いることができ、人体にやさしい建材としてその特徴を生かすことができる。
【００３１】
図７は、竹炭ボード２の取付施工方法の他の実施例を示している。図７において、この施工方法では、金網に代えて防水テープ２０が用いられている。防水テープ２０は、例えば樹脂製テープ又は薄い金属製テープ（例えばアルミニウム製テープ）から構成される。竹炭ボード２の取付けは、図７に示すように相互に隣接する竹炭ボード２の隣接部位に防水テープ２０を貼り付けた後に釘１６等により固定するようにしてもよく、或いは竹炭ボード２を釘１６等により固定した後に隣接する竹炭ボード２の隣接端部に防水テープ２０を貼り付けるようにしてもよい。尚、この防水テープ２０も、図６に示す施工方法と同様に、隣接する竹炭ボード２の隣接部位に跨って貼り付けられ、またこの防水テープ２０を含む竹炭ボード２の表面に聚楽等の表面仕上げ部材が設けられる。このような施工方法においても、隣接する竹炭ボード２の隣接端部においては、表面仕上げ材が防水テープ２０に取り付けられるので、上述したと同様に、表面仕上げ材を長期にわたってきれいに保つことができる。
【００３２】
図６及び図７においては、４枚の竹炭ボード２の取付例について説明したが、このような取付施工方法は、複数枚（２枚以上）の竹炭ボード２を連続的に並べて取り付ける場合に同様に適用することができる。
【００３３】
このような竹炭ボード２は、建材用ボードとして好都合に用いることができるが、次の用途等に広く用いることができる。図８及び図９は、例えば病院のベッドに用いた例である。図８及び図９において、この適用例では、竹炭ボード１０２が４個用いられ、４個の竹炭ボード１０２がそれぞれ不織布１０４で覆われている。この不織布１０４は所要の通りに縫い合わされて連続的になるように形成され、図８に示すように折り畳むことによって、小さくすることができ、その取り扱いが容易となる。
【００３４】
このような竹炭ボード１０２は、ベッド本体１０６の底部１０８の上面に設けられ、この竹炭ボード１０２の上面にマットレス１１０及び敷き布団１１２が敷かれる。ベッド本体１０６に上述したように竹炭ボード１０２を敷くことによって、その吸湿、放湿特性、臭い吸着特性を利用して消臭、除湿効果が得られ、衛生上きれいに保つことができる。
【００３５】
図１０は、竹炭ボードを歩道ブロックとして用いた例である。図１０において、竹炭ボード１２０を歩道ブロックに適用する場合、その大きさは例えば縦１０ｃｍ×横２０ｃｍ程度に形成され、このような竹炭ボード１２０が間隔をおいて敷設され、隣接する竹炭ボード１２０間には砂１２２が埋められる。このように歩道に竹炭ボード１２０を敷くことによって、雨水は竹炭ボード１２０を通して地中にしみ込むようになり、この竹炭ボード１２０の表面を流れる又はその中を通る際に、雨水中に含まれた有害物質が竹炭ボード１２０に吸着され、また酸性の雨水はアルカリ性を呈する竹炭ボード１２０の表面を流れる又はその中を通る際に中和され、雨水が浄化、中和されて地中に吸い込まれるようになり、雨水をきれいにして流すことができる。
【００３６】
図１１は、竹炭ボードを瓦、雨水浄化材として用いた例である。図１１において、竹炭ボード１４０を屋根の瓦として用いる場合、その形状、大きさ等は通常の瓦のように形成される。また、竹炭ボード１４２を雨水浄化材として用いる場合、例えば樋１４４からの雨水が集まる雨水用タンク１４６内に竹炭ボード１４２が収容され、竹炭ボード１４２により浄化、中和された雨水が排水溝１４８を通して流れるようになり、このように瓦、雨水浄化材として竹炭ボード１４０，１４２を用いても、上述したと同様に、雨水をきれいにして流すことができる。
【００３７】
この竹炭ボードは、また、ふすま用ボードとしても用いることができ、竹炭ボードの表面及び裏面にふすま紙が貼付される。このようにふすま用ボードとして用いた場合、押入れの除湿、消臭、カビ防止等の効果がある。
【００３８】
竹炭ボードは小さくして竹炭片状に、また薄くして竹炭シート状とすることによって、更に広く適用することができ、特にその吸湿、放湿性、消臭性、除菌性等の特徴を利用して、トイレの便座の裏側に取り付けたり、トイレの水洗用タンク内に入れたり、キッチン、浴室、洗濯場の排水口に取り付けたり、ホームコタツの本体上部（内側上部）に取り付けたり、靴の中敷き、ブーツの爪先部分に入れたり、バイク用、工事用等のヘルメットの内側に貼り付けたり、食器棚、タンス、衣装ボックスに入れたり、枕、マットレスの中に入れたり、畳の中に入れたり、じゅうたんの下に敷いたりすることができる。
【００３９】
以上、本発明に従う竹炭ボードの一実施形態及びこの竹炭ボードの取付施工方法の実施例について説明したが、本発明はこれら実施形態、実施例に限定されるものではなく、本発明の範囲を逸脱することなく種々の変形乃至修正が可能である。
【００４０】
【発明の効果】
本発明の請求項１の竹炭ボードによれば、竹炭ボード本体の片面に、貝殻の粉末を塗布したので、この貝殻層が耐火層として機能し、充分な耐火性を得ることができ、また貝殻自体がアルカリ性を呈するので、人体に優しいボードとして提供することができる。
【００４１】
また、本発明の請求項２の竹炭ボードによれば、ホタテ貝の焼き貝殻を用いるので、充分な耐火性を得ることができる。また、ホルムアルデヒド等の特定有害物質を吸着するので、シックハウス症候群に対しても有効であるとともに、抗菌、滅菌作用も有し、人体に悪影響を及ぼすこともない。
【００４２】
また、本発明の請求項３の竹炭ボードによれば、竹のりを用いて竹炭を固めるので、シックハウス症候群の原因となるホルムアルデヒド等の特定有害物質を放出することがなく、人体に優しい竹炭ボードを提供することができる。
【００４３】
また、本発明の請求項４の竹炭ボードによれば、ボード本体の片面にホタテ貝を塗布するので、充分な耐火性を有するとともに、特定有害物質を吸着し、人体に優しいボードとして提供することができる。
【００４４】
また、本発明の請求項５の竹炭ボードの取付施工方法によれば、ボード本体の片面に複数個の溝が設けられているので、水分の吸収、放出によりボード本体が膨張、縮小しても、かかる膨張、縮小がこれら溝によって吸収される。そして、このような溝を設けたボード本体の各角部を固定することによって、ボード本体を確実に固定することができるとともに、水分の吸収、放出による膨張、縮小はこれら溝により吸収され、膨張、縮小によるボード本体の破損を防止することができるとともに、ボード本体間の溝の発生も防止することができる。
【００４５】
また、本発明の請求項６の竹炭ボードの取付施工方法によれば、ボード本体に所定方向に第１の溝が、またこの所定方向に対して垂直な方向に第２の溝が設けられているので、水分の吸収、放出によるボード本体の膨張、縮小を効果的に吸収することができる。
【００４６】
更に、本発明の請求項７の竹炭ボードの取付施工方法によれば、一対の竹炭ボードの隣接端部に、これら隣接端部を跨ぐように金網又は防水テープが設けられ、この金網又は防水テープを含む竹炭ボードの表面を覆うように表面仕上げ材が設けられるので、竹炭ボードの表面全域に表面仕上げ材を所要の通りに設けることができ、また一対の竹炭ボード間において表面仕上げ材に亀裂等が発生することもなく、連続する竹炭ボード表面をきれいな状態に保つことができる。
【図面の簡単な説明】
【図１】本発明に従う竹炭ボードの一実施形態を示す斜視図である。
【図２】図１の竹炭ボードの施工例の一例を示す部分断面図である。
【図３】図１の竹炭ボードの裏面を示す背面図である。
【図４】図３の竹炭ボードの第１の溝の一部を拡大して示す断面図である。
【図５】第１の溝の変形形態を示す、図４に対応する断面図である。
【図６】本発明に従う竹炭ボードの取付施工方法の一実施例を示す正面図である。
【図７】竹炭ボードの取付施工方法の他の実施例を示す正面図である。
【図８】ベッドに適用する場合の竹炭ボードを示す斜視図である。
【図９】竹炭ボードをベッドに適用したときの状態を示す簡略図である。
【図１０】竹炭ボードを歩道ブロックに適用した例を示す断面図である。
【図１１】竹炭ブロックを屋根の瓦、雨水浄化材に適用した例を示す簡略図である。
【符号の説明】
２，１０２，１２０，１４０，１４２　竹炭ボード
４　ボード本体
６　塗布層
８　表面仕上げ材
１２，１２Ａ　第１の溝
１４，１４Ａ　第２の溝
１６　釘
１８　金網
２０　防水テープ
【図１】
2004034306.tif 000003
【図２】
2004034306.tif 000004
【図３】
2004034306.tif 000005
【図４】
2004034306.tif 000006
【図５】
2004034306.tif 000007
【図６】
2004034306.tif 000008
【図７】
2004034306.tif 000009
【図８】
2004034306.tif 000010
【図９】
2004034306.tif 000011
【図１０】
2004034306.tif 000012
【図１１】
2004034306.tif 000013